【手続補正書】
【提出日】平成16年7月30日(2004.7.30)
【手続補正１】
【補正対象書類名】明細書
【補正対象項目名】特許請求の範囲
【補正方法】変更
【補正の内容】
【特許請求の範囲】
【請求項１】
ディスク記憶媒体上に位置づけられたリードヘッドからのアナログリード信号におけるパルスをサンプリングすることによって発生された離散時間サンプル値のシーケンスからディジタルデータをリードする、サンプリングされた振幅リードチャネルであって、
（ａ）タイミングリカバリのための位相誤差推定値を改善する第１のマッピングに従って、ライト動作の間に、ユーザデータをコードワードに符号化するエンコーダであって、該位相誤差推定値が、該アナログリード信号における該パルスの傾きの関数として発生される、エンコーダと、
（ｂ）リード動作の間に該アナログリード信号をサンプリングすることによって、該離散時間サンプル値のシーケンスを発生する、サンプリングデバイスと、
（ｃ）同期サンプル値を該離散時間サンプル値および該位相誤差推定値の関数として発生する、タイミングリカバリと、
（ｄ）該同期サンプル値から該コードワードを検出する、離散時間検出器と、を備えている、サンプリングされた振幅リードチャネル。
【請求項２】
前記第１のマッピングが、以下の表１Ａ〜表１Ｆに従って作用する、請求項１に記載のサンプリングされた振幅リードチャネル。
【表１Ａ】
1998092120.tif 000001
【表１Ｂ】
1998092120.tif 000002
【表１Ｃ】
1998092120.tif 000003
【表１Ｄ】
1998092120.tif 000004
【表１Ｅ】
1998092120.tif 000005
【表１Ｆ】
1998092120.tif 000006
【請求項３】
前記第１のマッピングの逆である第２のマッピングに従って、リード動作の間に、前記コードワードを復号化するデコーダをさらに備えている、請求項１に記載のサンプリングされた振幅リードチャネル。
【請求項４】
前記第２のマッピングが、以下の表２Ａ〜表２Ｇに従って作用する、請求項３に記載のサンプリングされた振幅リードチャネル。
【表２Ａ】
1998092120.tif 000007
【表２Ｂ】
1998092120.tif 000008
【表２Ｃ】
1998092120.tif 000009
【表２Ｄ】
1998092120.tif 000010
【表２Ｅ】
1998092120.tif 000011
【表２Ｆ】
1998092120.tif 000012
【表２Ｇ】
1998092120.tif 000013
【請求項５】
Ｙｋ・（Ｘｋ−１）＋Ｙｋ−１・（Ｘｋ）（ここで、Ｙｋは、実際のサンプル値であり、Ｘｋは、推定されたサンプル値である）に比例する前記位相誤差推定値を発生する位相誤差検出器をさらに備えている、請求項１に記載のサンプリングされた振幅リードチャネル。
【請求項６】
（ａ）前記ユーザデータに応答して、該ユーザデータにより発生された前記位相誤差推定値の質を測定する、グレーダと、
（ｂ）もし該測定された質が、所定の閾値を下回っているのなら、該ユーザデータを前記第１のマッピングに従ってマッピングする手段と、
をさらに備えている、請求項１に記載のサンプリングされた振幅リードチャネル。
【請求項７】
前記コードワードがそれぞれ、前記ユーザデータが前記第１のマッピングに従ってマッピングされたどうかを示すマップビットを含んでいる、請求項６に記載のサンプリングされた振幅リードチャネル。
【請求項８】
前記第１のマッピングの逆である第２のマッピングに従って、リード動作の間に前記コードワードを復号化するデコーダをさらに備えている、サンプリングされた振幅リードチャネルであって、もし前記ユーザデータが該第１のマッピングに従ってマッピングされていないことを前記マップビットが示すのなら、該デコーダが、該コードワードを該第２のマッピングに従ってマッピングしない、請求項７に記載のサンプリングされた振幅リードチャネル。
【請求項９】
前記アナログリード信号の傾きをあるサンプル事例において制御する手段をさらに備えている、請求項１に記載のサンプリングされた振幅リードチャネル。
【請求項１０】
前記傾きを制御する前記手段が、前記コードワードを前記ディスク記憶媒体にライトするＮＲＺＩ変調器を備えている、請求項９に記載のサンプリングされた振幅リードチャネル。
【請求項１１】
前記エンコーダが、
（ａ）前記コードワードが所定のランレングス制約に違反しているかどうかを検出する、ＲＬ検出器と、
（ｂ）該コードワードが、該ランレングス制約に違反しないように、該コードワードを修正する手段と、
を備えている、請求項１に記載のサンプリングされた振幅リードチャネル。
【請求項１２】
前記コードワードの符号レートが、１６／１７である、請求項１に記載のサンプリングされた振幅リードチャネル。
【請求項１３】
ディスク記憶媒体上に位置づけられたリードヘッドからのアナログリード信号におけるパルスをサンプリングすることによって発生された離散時間サンプル値のシーケンスから２進データをリードする、サンプリングされた振幅リードチャネルにおいて、該２進データが第１のマッピングに従って符号化されたコードワードを含んでいる、サンプリングされた振幅リードチャネルであって、
（ａ）該アナログリード信号をサンプリングすることによって、該離散時間サンプル値のシーケンスを発生する、サンプリングデバイスと、
（ｂ）該離散時間サンプル値に応答して同期サンプル値を発生する、タイミングリカバリであって、あるサンプル事例における該アナログリード信号の該パルスの傾きに対して位相誤差推定値を発生する位相誤差検出器を備えている、タイミングリカバリと、
（ｃ）該同期サンプル値から該コードワードを検出する、離散時間検出器と、
（ｄ）該第１のマッピングの逆である第２のマッピングに従って該コードワードを復号化するデコーダであって、該第１のマッピングが、該タイミングリカバリ用の該位相誤差推定値を改善する、デコーダと、
を備えている、サンプリングされた振幅リードチャネル。
【請求項１４】
（ａ）もし対応する位相誤差推定値の質が所定の閾値を下回っているのなら、前記２進データが前記第１のマッピングを用いて符号化され、
（ｂ）もし該対応する位相誤差推定値の該質が該所定の閾値を下回っていないのなら、該２進データが該第１のマッピングを用いて符号化されず、
（ｃ）前記コードワードがそれぞれ、前記ユーザデータが該第１のマッピングに従ってマッピングされたどうかを示すマップビットを含んでおり、かつ
（ｄ）もし該コードワードが該第１のマッピングを用いて符号化されたことを該マップビットが示すのなら、前記デコーダが、前記第２のマッピングを用いて該コードワードのそれぞれを復号化するのに該マップビットを用いる、請求項１３に記載のサンプリングされた振幅リードチャネル。
【請求項１５】
前記コードワードの符号レートが、１６／１７である、請求項１３に記載のサンプリングされた振幅リードチャネル。
【請求項１６】
前記位相誤差推定値を発生する前記位相誤差検出器が、
Ｙｋ・（Ｘｋ−１）＋Ｙｋ−１・（Ｘｋ）（ここで、Ｙｋは、実際のサンプル値であり、Ｘｋは、推定されたサンプル値である）
に従って動作する、請求項１３に記載のサンプリングされた振幅リードチャネル。
【請求項１７】
ディスク記憶媒体上に位置づけられたリードヘッドからのアナログリード信号におけるパルスをサンプリングすることによって発生された離散時間サンプル値のシーケンスから２進データをリードする方法において、該２進データが第１のマッピングに従って符号化されたコードワードを含んでいる、方法であって、
（ａ）該アナログリード信号をサンプリングすることによって、該離散時間サンプル値のシーケンスを発生するステップと、
（ｂ）あるサンプル事例における該アナログリード信号の該パルスの傾きに対する位相誤差を推定するステップと、
（ｃ）該離散時間サンプル値および該ステップ（ｂ）の該位相誤差推定値に応答して、同期サンプル値を発生するステップと、
（ｄ）該同期サンプル値から該コードワードを検出するステップと、
（ｅ）該第１のマッピングの逆である第２のマッピングに従って該コードワードを復号化するステップであって、該第１のマッピングが、タイミングリカバリ用の該位相誤差推定値を改善する、ステップと、
を含んでいる、２進データをリードする方法。
【請求項１８】
前記位相誤差を推定する前記ステップが、
Ｙｋ・（Ｘｋ−１）＋Ｙｋ−１・（Ｘｋ）（ここで、Ｙｋは、実際のサンプル値であり、Ｘｋは、推定されたサンプル値である）
に従って作用する、請求項１７に記載の２進データをリードする方法。
【請求項１９】
前記コードワードが、符号化されていない２進データに対応する前記位相誤差推定値の測定された質に依存して、前記第１のマッピングを用いて選択的に符号化される、２進データをリードする方法であって、該コードワードが該第１のマッピングに従って符号化されたかどうかを示すマップビットを該コードワードにおいて復号化するステップをさらに含んでいる、請求項１７に記載の２進データをリードする方法。
【請求項２０】
前記コードワードが、１６／１７の符号レートで符号化される、請求項１７に記載の２進データをリードする方法。
【手続補正２】
【補正対象書類名】明細書
【補正対象項目名】００５３
【補正方法】変更
【補正の内容】
【００５３】
【発明の実施の形態】
本願は、以下の同時係属中の米国特許出願、すなわち、「サンプル推定等化、欠陥スキャニング、チャネル品質、ディジタルサーボ復調、タイミングリカバリ用のＰＩＤフィルタおよびＤＣオフセット制御を含むサンプリングされた振幅リードチャネル」と題された米国特許出願第０８／３４１，２５１号、「同期パーシャルレスポンス記録のための改善されたタイミングリカバリ」と題された米国特許出願第０８／３１３，４９１号（現在、共に取り下げられている）、および「サンプリングされた振幅磁気記録のための改善された欠陥許容シンクマーク検出器」と題された米国特許出願第０８／５３３，７９７号に関連している。本願は、また、以下に掲げるいくつかの米国特許、すなわち、「同期波形サンプリング用のタイミングリカバリ回路」と題された米国特許第５，３５９，６３１号、「複雑さの低減されたビタビ型シーケンス検出器のための方法および装置」と題された米国特許第５，２９１，４９９号、「同期波形サンプリングのための利得制御回路」と題された米国特許第５，２９７，１８４号、「ディジタルパルス検出器」と題された米国特許第５，３２９，５５４号、および「同期リードチャネル」と題された米国特許第５，４２４，８８１号にも関連している。上に列挙した特許出願および特許のすべては、同一の譲受人に譲渡されており、本願でも、それらのすべてが参考として援用される。
【手続補正３】
【補正対象書類名】図面
【補正対象項目名】全図
【補正方法】変更
【補正の内容】
【図１】
1998092120.tif 000014
【図２Ａ】
1998092120.tif 000015
【図２Ｂ】
1998092120.tif 000016
【図３Ａ】
1998092120.tif 000017
【図３Ｂ】
1998092120.tif 000018
【図４】
1998092120.tif 000019
【図５】
1998092120.tif 000020
【図６】
1998092120.tif 000021
【図７Ａ】
1998092120.tif 000022
【図７Ｂ】
1998092120.tif 000023
【図８Ａ】
1998092120.tif 000024
【図８Ｂ】
1998092120.tif 000025
【図９Ａ】
1998092120.tif 000026
【図９Ｂ】
1998092120.tif 000027
【図９Ｃ】
1998092120.tif 000028